(57)【要約】      （修正有）【課題】放熱効果、組立容易なファンの特性を向上させる構造を提供する。【解決手段】枠体３１１、接合部３１２および一つ以上の整流部３１３からなり、枠体３１１と接合部３１２との間は整流部３１３によって接続されており、整流部３１３の両側には第１の通路３１３ａおよび第２の通路３１３ｂが設けられ、第１の通路３１３ａおよび第２の通路３１３ｂにファンモジュール３２に設けられた導流部３２５が収容される。【選択図】図３
0003118367.tif 000002
【実用新案登録請求の範囲】
【請求項１】
枠体と、接合部と、一つ以上の整流部とからなるファンの特性を向上させる構造であって、
前記枠体と接合部との間は整流部によって接続されており、整流部の両側には第１の通路および第２の通路が設けられ、第１の通路および第２の通路にファンモジュールに設けられた導流部が収容され、前記ファンモジュールはファン枠、羽根、接合部および駆動部からなり、前記羽根は駆動部上に設置されており、前記駆動部はファン枠に設けられた接合部上に設置されていることを特徴とするファンの特性を向上させる構造。
【請求項２】
前記枠体およびファン枠には、それぞれ固定孔が設けられ、固定部材が枠体の固定孔およびファン枠の固定孔に設置され、枠体とファン枠とがお互いに固定されていることを特徴とする請求項１記載のファンの特性を向上させる構造。
【請求項３】
前記枠体には、定位部が設けられ、前記ファン枠には前記枠体の定位部に対応する固定孔が設けられ、枠体の定位部とファン枠の固定孔とがお互いに組合わさることによって、枠体とファン枠とが固定されていることを特徴とする請求項１記載のファンの特性を向上させる構造。
【請求項４】
前記ファン枠の接合部上には、定位部が設けられ、前記枠体の接合部にはファン枠の定位部に対応する固定孔が設けられ、ファン枠の定位部と枠体の固定孔とがお互いに組合わさることによって、枠体とファン枠とが固定されていることを特徴とする請求項１記載のファンの特性を向上させる構造。
【請求項５】
前記枠体の接合部上には、ファン枠の導流部が嵌入する嵌入溝が設けられ、枠体の接合部の嵌入溝にファン枠の導流部が嵌入されることによって、枠体とファン枠とが固定されていることを特徴とする請求項１記載のファンの特性を向上させる構造。
【請求項６】
前記整流部は、枠体の一面から突出していることを特徴とする請求項１記載のファンの特性を向上させる構造。
【請求項７】
前記導流部は、ファン枠の一面から突出していることを特徴とする請求項１記載のファンの特性を向上させる構造。
【請求項８】
前記整流部は、枠体の一面から突出せず、枠体の一面と同じ平面になるように切削されていることを特徴とする請求項１記載のファンの特性を向上させる構造。
【請求項９】
前記導流部は、ファン枠の一面から突出せず、ファン枠の一面と同じ平面になるように切削されていることを特徴とする請求項１記載のファンの特性を向上させる構造。
【考案の詳細な説明】
【技術分野】
【０００１】
本考案はファンの特性を向上させる構造に関し、主にファンの導流構造に関し、特にファンに設置され、ファンの各種特性を向上させる構造に関する。
【背景技術】
【０００２】
図１は従来技術によるファンの構造を示す斜視図である。図に示すように、ファン１は主に、ファン枠１１と、羽根１２とからなり、ファン枠１１内には支持部１３が設けられている。支持部１３とファン枠１１との間はリブ１４によって接続されており、羽根１２と支持部１３との間はモータによって接続されている。モータによって羽根１２がファン枠１１内で回転する。しかし、ファン１の運転時、ファン枠１１のリブ１４によって生成される気流が渦を巻き、風圧が低下してファン１の効果が低下する。
【０００３】
ファン枠１１のリブ１４によって気流が渦を巻くのを防止するために、現在多く採用されている方法は、可動羽根とよく似た形状の固定羽根をリブ１４の代わりとする方法であり、図２に示すように、ファン２は主にファン枠２１と、羽根２２とからなり、ファン枠２１内には支持部２３が設けられている。支持部２３とファン枠２１との間は固定羽根２４によって接続されており、可動羽根２２と支持部２３との間はモータによって接続されている。可動羽根２２の運転によって気流が生成されたとき、従来技術によるリブ１４によって風圧が低下するという欠点を改善し、可動羽根２２の効率を向上させる。
【０００４】
しかし、前述の固定羽根２４を有するファン２の構造は下記のような欠点が存在する。
１  ファン２全体を交換しなければ固定羽根２４を増設できない。
２  各種放熱の必要に応じて即座に固定羽根２４の数量を調整できない。
【０００５】
そこで、上述の従来技術によるファンの各欠点を改善するために、本考案の考案者は研究と改良を重ね、ついに本考案であるファンの特性を向上させる構造を案出した。
【考案の開示】
【考案が解決しようとする課題】
【０００６】
本考案の第１の目的は、放熱効果を向上させたファンの構造を提供することにある。
本考案の第２の目的は、組立に便利なファンの構造を提供することにある。
本考案の第３の目的は、各種放熱の必要に応じて整流部の数量を調整できるファンの構造を提供することにある。
【課題を解決するための手段】
【０００７】
上述の課題を解決するために、請求項１の考案は、枠体と、接合部と、一つ以上の整流部とからなるファンの特性を向上させる構造であって、枠体と接合部との間は整流部によって接続されており、整流部の両側には第１の通路および第２の通路が設けられ、第１の通路および第２の通路にファンモジュールに設けられた導流部が収容され、ファンモジュールはファン枠、羽根、接合部および駆動部からなり、羽根は駆動部上に設置されており、駆動部はファン枠に設けられた接合部上に設置されていることを特徴とするファンの特性を向上させる構造である。
【０００８】
請求項２の考案は、枠体およびファン枠には、それぞれ固定孔が設けられ、固定部材が枠体の固定孔およびファン枠の固定孔に設置され、枠体とファン枠とがお互いに固定されていることを特徴とする請求項１記載のファンの特性を向上させる構造である。
【０００９】
請求項３の考案は、枠体には、定位部が設けられ、ファン枠には枠体の定位部に対応する固定孔が設けられ、枠体の定位部とファン枠の固定孔とがお互いに組合わさることによって、枠体とファン枠とが固定されていることを特徴とする請求項１記載のファンの特性を向上させる構造である。
【００１０】
請求項４の考案は、ファン枠の接合部上には、定位部が設けられ、枠体の接合部にはファン枠の定位部に対応する固定孔が設けられ、ファン枠の定位部と枠体の固定孔とがお互いに組合わさることによって、枠体とファン枠とが固定されていることを特徴とする請求項１記載のファンの特性を向上させる構造である。
【００１１】
請求項５の考案は、枠体の接合部上にはファン枠の導流部が嵌入する嵌入溝が設けられ、枠体の接合部の嵌入溝にファン枠の導流部が嵌入されることによって、枠体とファン枠とが固定されていることを特徴とする請求項１記載のファンの特性を向上させる構造である。
【００１２】
請求項６の考案は、整流部は、枠体の一面から突出していることを特徴とする請求項１記載のファンの特性を向上させる構造である。
【００１３】
請求項７の考案は、導流部は、ファン枠の一面から突出していることを特徴とする請求項１記載のファンの特性を向上させる構造である。
【００１４】
請求項８の考案は、整流部は、枠体の一面から突出せず、枠体の一面と同じ平面になるように切削されていることを特徴とする請求項１記載のファンの特性を向上させる構造である。
【００１５】
請求項９の考案は、導流部は、ファン枠の一面から突出せず、ファン枠の一面と同じ平面になるように切削されていることを特徴とする請求項１記載のファンの特性を向上させる構造である。
【考案の効果】
【００１６】
１  各種放熱の必要に応じてファンに増設したり、ファンから取り外したりすることができる。
２  ファンへの組立に便利であり、設置や取り外しを迅速に行なえる。
３  ファンの風圧を高め、放熱効果を向上させることができる。
４  金型の設計を変更する必要なく導流部を増加させることができる。
【考案を実施するための最良の形態】
【００１７】
本考案は、ファンの特性を向上させる構造を提供するものである。図３は本考案の第１の実施例を示すものである。図に示すように、主に枠体３１１と、接合部３１２と、一つ以上の整流部３１３とからなる。枠体３１１と接合部３１２との間は整流部３１３によって接続されており、整流部３１３の両側には第１の通路３１３ａおよび第２の通路３１３ｂが設けられている。第１の通路３１３ａおよび第２の通路３１３ｂにファンモジュール３２に設けられた導流部３２５が収容される。ファンモジュール３２はファン枠３２１、羽根３２２、接合部３２３および駆動部３２４からなり、羽根３２２は駆動部３２４上に設置されており、駆動部３２４はファン枠３２１に設けられた接合部３２３上に設置されている。
【００１８】
組立時、固定部材３３がファン枠３２１の固定孔３２１ａおよび枠体３１１の固定孔３１１ａに設置され、同時に、ファンモジュール３２の導流部３２５が枠体３１１の第１の通路３１３ａおよび第２の通路３１３ｂ内に収容される。
【００１９】
図４は本考案の第２の実施例を示すものである。図に示すように、主に枠体４１１と、接合部４１２と、一つ以上の整流部４１３とからなる。枠体４１１と接合部４１２との間は整流部４１３によって接続されており、整流部４１３の両側には第１の通路４１３ａおよび第２の通路４１３ｂが設けられている。第１の通路４１３ａおよび第２の通路４１３ｂにファンモジュール４２に設けられた導流部４２５が収容される。ファンモジュール４２はファン枠４２１、羽根４２２、接合部４２３および駆動部４２４からなり、羽根４２２は駆動部４２４上に設置されており、駆動部４２４はファン枠４２１上に設けられた接合部４２３に設置されている。
【００２０】
組立時、ファン枠４２１に設けられた固定孔４２１ａと枠体４１１に設けられた定位部４１１ａとが組合わされ、同時に、ファンモジュール４２の導流部４２５が枠体４１１の第１の通路４１３ａおよび第２の通路４１３ｂ内に収容される。
【００２１】
図５は本考案の第３の実施例を示すものである。図に示すように、主に枠体５１１と、接合部５１２と、一つ以上の整流部５１３とからなる。枠体５１１と接合部５１２との間は整流部５１３によって接続されており、整流部５１３の両側には第１の通路５１３ａおよび第２の通路５１３ｂが設けられている。第１の通路５１３ａおよび第２の通路５１３ｂにファンモジュール５２に設けられた導流部５２５が収容される。ファンモジュール５２はファン枠５２１、羽根５２２、接合部５２３および駆動部５２４からなり、羽根５２２は駆動部５２４上に設置されており、駆動部５２４はファン枠５２１上に設けられた接合部５２３に設置されている。
【００２２】
組立時、接合部５２３に設けられた固定孔５２３ａと接合部５１２に設けられた定位部５１２ａとが組合わされ、同時に、ファンモジュール５２の導流部５２５が枠体５１１の第１の通路５１３ａおよび第２の通路５１３ｂ内に収容される。
【００２３】
図６は本考案の第４の実施例を示すものである。図に示すように、主に枠体６１１と、接合部６１２と、一つ以上の整流部６１３とからなる。枠体６１１と接合部６１２との間は整流部６１３によって接続されており、整流部６１３の両側には第１の通路６１３ａおよび第２の通路６１３ｂが設けられている。第１の通路６１３ａおよび第２の通路６１３ｂにファンモジュール６２に設けられた導流部６２５が収容される。ファンモジュール６２はファン枠６２１、羽根６２２、接合部６２３および駆動部６２４からなり、羽根６２２は駆動部６２４上に設置されており、駆動部６２４はファン枠６２１上に設けられた接合部６２３に設置されている。
【００２４】
組立時、導流部６２５が接合部６１２に設けられた嵌入溝６１２ａに嵌入され、同時に、ファンモジュール６２の導流部６２５が枠体６１１の第１の通路６１３ａおよび第２の通路６１３ｂ内に収容される。
【００２５】
前述の第１、第２、第３、第４の実施例においては整流部３１３、４１３、５１３、６１３は枠体３１１、４１１、５１１、６１１から突出しているが、図７に示す第５の実施例のようにもう一つの実施形態にすることもできる。図に示すように、主に枠体７１１と、接合部７１２と、一つ以上の整流部７１３とからなる。枠体７１１と接合部７１２との間は整流部７１３によって接続されており、整流部７１３の両側には第１の通路７１３ａおよび第２の通路７１３ｂが設けられている。第１の通路７１３ａおよび第２の通路７１３ｂにファンモジュール７２に設けられた導流部７２５が収容される。ファンモジュール７２はファン枠７２１、羽根７２２、接合部７２３および駆動部７２４からなり、羽根７２２は駆動部７２４上に設置されており、駆動部７２４はファン枠７２１上に設けられた接合部７２３に設置されている。
【００２６】
組立時、固定部材７３がファン枠７２１の固定孔７２１ａおよび枠体７１１の固定孔７１１ａに設置され、同時に、ファンモジュール７２の導流部７２５が枠体７１１の第１の通路７１３ａおよび第２の通路７１３ｂ内に収容される。
【００２７】
上述に示すように、本考案におけるファン枠３２１、４２１、５２１、６２１、７２１の導流部３２５、４２５、５２５、６２５、７２５は整流部３１３、４１３、５１３、６１３、７１３両側の第１の通路３１３ａ、４１３ａ、５１３ａ、６１３ａ、７１３ａおよび第２の通路３１３ｂ、４１３ｂ、５１３ｂ、６１３ｂ、７１３ｂ内に設置され、整流部３１３、４１３、５１３、６１３、７１３によって、導流部３２５、４２５、５２５、６２５、７２５の数量が増加することになり、ファン全体の特性が向上する。
【００２８】
上述の説明は本考案の実施例を示すものであり、本考案の方法、形状、構造および装置などを利用した変更は全て本考案の権利範囲に含まれる。
【図面の簡単な説明】
【００２９】
【図１】従来技術によるファンの構造を示す斜視図である。
【図２】もう一つの従来技術によるファンの構造を示す斜視図である。
【図３】本考案の第１の実施例を示す立体分解図である。
【図４】本考案の第２の実施例を示す立体分解図である。
【図５】本考案の第３の実施例を示す立体分解図である。
【図６】本考案の第４の実施例を示す立体分解図である。
【図７】本考案の第５の実施例を示す立体分解図である。
【符号の説明】
【００３０】
1、2  ファン
11、21  ファン枠
12  羽根
13、23支持部
14  リブ
22  可動羽根
24  固定羽根
３１１、４１１、５１１、６１１、７１１  枠体
３１１ａ、３２１ａ、４１１ａ、４２１ａ、５２３ａ、６２３ａ、７１１ａ、７２１ａ  固定孔
３１２、４１２、５１２、６１２、７１２  接合部
３１３、４１３、５１３、６１３、７１３  整流部
３１３ａ、４１３ａ、５１３ａ、６１３ａ、７１３ａ  第１の通路
３１３ｂ、４１３ｂ、５１３ｂ、６１３ｂ、７１３ｂ  第２の通路
３２、４２、５２、６２、７２  ファンモジュール
３２１、４２１、５２１、６２１、７２１  ファン枠
３２２、４２２、５２２、６２２、７２２  羽根
３２３、４２３、５２３、６２３、７２３  接合部
３２４、４２４、５２４、６２４、７２４  駆動部
３２５、４２５、５２５、６２５、７２５  導流部
３３、７３  固定部材
５１２ａ  定位部
６１２ａ  嵌入溝
【図１】
0003118367.tif 000003
【図２】
0003118367.tif 000004
【図３】
0003118367.tif 000005
【図４】
0003118367.tif 000006
【図５】
0003118367.tif 000007
【図６】
0003118367.tif 000008
【図７】
0003118367.tif 000009